(57)【特許請求の範囲】
【請求項１】
遺体解剖後の修復用に体内に詰める解剖修復材であって、
多数の繊維からなる複数の板状繊維層が表面から体液を吸収可能にその厚み方向に重ねて接合により分離可能に積層された多層構造の繊維集合体からなり、
該繊維集合体には、複数に分割するための切れ目が上記繊維集合体の厚み方向に入るとともに互いに交差して延びるように形成されていることを特徴とする解剖修復材。
【請求項２】
請求項１に記載の解剖修復材において、
上記切れ目の深さは、上記繊維集合体の厚みの５０％以上であることを特徴とする解剖修復材。
【請求項３】
請求項１又は２に記載の解剖修復材において、
上記繊維集合体は長方形の板状に形成され、
上記繊維集合体の幅方向に延びる上記切れ目と、上記繊維集合体の長手方向に延びる上記切れ目とが共に複数形成されていることを特徴とする解剖修復材。
【請求項４】
請求項１から３のいずれか１つに記載の解剖修復材において、
上記板状繊維層に吸水性樹脂からなる繊維が混合されていることを特徴とする解剖修復材。
【請求項５】
請求項１から４のいずれか１つに記載の解剖修復材において、
上記板状繊維層に着色材が混入されていることを特徴とする解剖修復材。
【発明の詳細な説明】
【技術分野】
【０００１】
本発明は、解剖後の遺体内に詰める解剖修復材に関し、特に、形状を自由に変更することができる構造の技術分野に属する。
【背景技術】
【０００２】
例えば、遺体の病理解剖等の解剖現場では遺体内から全ての臓器または一部の臓器を取り出すため、解剖後の遺体復元にあたっては臓器が無くなった空間に詰め物をして修復している。このときに使用される一般的な詰め物としては、オガ屑や新聞紙を併用したもの等がある。
【０００３】
また、例えば特許文献１に開示されているように、高吸水性膨潤繊維体と、非膨潤繊維体との混合物を透水性袋体に充填してなる解剖修復材が知られている。このものでは、遺体内に詰めたとき、高吸水性膨潤繊維体に体液を吸収させることができるようになっている。
【先行技術文献】
【特許文献】
【０００４】
【特許文献１】特開２００３−２９９６５８号公報
【発明の概要】
【発明が解決しようとする課題】
【０００５】
ところで、遺体の体格や性別、年齢等によって体腔の大きさや形状は様々であるとともに、どの臓器を取り出すか、どれだけ臓器を取り出すかによって臓器が無くなった空間の大きさや形状をはじめその空間の体腔内における位置も様々である。解剖修復材は、上述のように臓器が無くなった空間を埋めるためのものであることから、体腔内に隙間ができないように詰めていく必要がある。
【０００６】
このことに鑑みると、従来のオガ屑や新聞紙を併用したものの場合、体腔内の空間に合わせて少量だけ詰めたり、空間の形状に合わせたりすることが解剖現場で可能であると考えられるが、解剖現場での取り扱い時にオガ屑がこぼれ落ちたりすることがあり、取り扱いが容易であるとは言えない。また、オガ屑が縫合部から見えてしまうことも考えられる。
【０００７】
そこで、特許文献１のように異種繊維体を透水性袋体に充填した解剖修復材を用いることで繊維体を１つの塊として体腔の空間に詰めていくことが考えられる。特許文献１の解剖修復材を用いる場合、体腔の狭い空間に解剖修復材を押し込む際や、体腔の奥の方にある空間に解剖修復材を押し込む際には、解剖修復材を小さくしておかなければ押し込むことができないので、小さな袋体にする必要がある。しかしながら、遺体の体腔に大きな空間ができている場合には、そのような小さな袋体で対応しようとすると多くの解剖修復材が必要になって作業が煩雑になる。このことに対して、大きな袋体から小さな袋体まで予め準備しておくことが考えられるが、コストや保管場所の面で現実的ではない。
【０００８】
本発明は、かかる点に鑑みてなされたものであり、その目的とするところは、遺体の体腔内の空間の大きさや形状、位置が様々であっても容易に詰めることができる解剖修復材を提供することにある。
【課題を解決するための手段】
【０００９】
上記目的を達成するために、本発明では、一部を分割または分離可能にすることによって解剖修復材の大きさや形状を容易に変えることができるようにした。
【００１０】
第１の発明は、
遺体解剖後の修復用に体内に詰める解剖修復材であって、
多数の繊維からなる複数の板状繊維層が表面から体液を吸収可能にその厚み方向に重ねて接合により分離可能に積層された多層構造の繊維集合体からなり、
該繊維集合体には、複数に分割するための切れ目が上記繊維集合体の厚み方向に入るとともに互いに交差して延びるように形成されていることを特徴とする。
【００１１】
この構成によれば、解剖修復材が多数の繊維を含む繊維集合体からなるので、従来のオガ屑を含む詰め物に比べて取り扱いが容易になる。また、遺体の体腔内に大きな空間がある場合には、解剖修復材を分割することなく空間に詰めることで、多数の解剖修復材を用意しなくて済み、作業性が良好になる。一方、遺体の体腔内の空間が狭い場合や奥の方にある場合には、解剖修復材を切れ目によって簡単に分割して小さくしてから空間に詰めることが可能になるので、作業性が良好になる。
【００１２】
また、この構成によれば、解剖修復材が多数の繊維を含む繊維集合体からなるので、従来のオガ屑を含む詰め物に比べて取り扱いが容易になる。また、遺体の体腔内に大きな空間がある場合には、第１層と第２層とを分離することなく空間に詰めることで、多数の解剖修復材を用意しなくて済み、作業性が良好になる。一方、遺体の体腔内の空間が狭い場合や奥の方にある場合には、第１層と第２層とを分離することによって簡単に小さくしてから空間に詰めることが可能になるので、作業性が良好になる。
【００１３】
また、この構成によれば、第１層と第２層とを分離することによって解剖修復材の大きさや形状を更に細かく変更することが可能になる。
【００１４】
また、この構成によれば、切れ目が繊維集合体の厚み方向に入っているので、板状の繊維集合体を幅方向や長さ方向に分割すること可能になる。そして、第１層と第２層とが繊維集合体の厚み方向に積層されているので、第１層と第２層を分離することで薄い形状の解剖修復材とすることも可能になる。つまり、解剖修復材の幅や長さだけでなく、厚さも変えることが可能になる。
【００１５】
また、この構成によれば、複数の切れ目が交差していることにより、繊維集合体を小さく分割することが可能になる。
【００１６】
第２の発明は、第１に記載の解剖修復材において、
上記切れ目の深さは、上記繊維集合体の厚みの５０％以上であることを特徴とする。
【００１７】
この構成によれば、切れ目を利用して解剖修復材を折り曲げることが可能になる。解剖修復材を折り曲げることで、解剖修復材の厚みを厚くして使用したり、解剖修復材の形状のバリエーションを増やすことが可能になる。
【００１８】
第３の発明は、第１又は２の発明において、
上記繊維集合体は長方形の板状に形成され、
上記繊維集合体の幅方向に延びる上記切れ目と、上記繊維集合体の長手方向に延びる上記切れ目とが共に複数形成されていることを特徴とする。
【００１９】
この構成によれば、幅方向に延びる切れ目と、長手方向に延びる切れ目とが交差することになる。これら切れ目によって繊維集合体を分割することで複数のブロック形状の解剖修復材が得られるので、それらを組み合わせることによって任意の大きさや形状のものが簡単に得られる。
【００２０】
第４の発明は、第１から第３のいずれか１つの発明において、
上記板状繊維層に吸水性樹脂からなる繊維が混合されていることを特徴とする。
【００２１】
第５の発明は、第１から第４のいずれか１つの発明において、
上記板状繊維層に着色材が混入されていることを特徴とする。
【発明の効果】
【００２２】
第１の発明によれば、多数の繊維を含む繊維集合体からなる解剖修復材としたので取り扱いを容易にすることができる。また、複数に分割するための切れ目を解剖修復材に形成したので、遺体の体腔内の空間の大きさや形状、位置が様々であっても容易に詰めることができる。
【００２３】
また、多数の繊維からなる第１層及び第２層が積層された繊維集合体からなる解剖修復材としたので取り扱いを容易にすることができる。また、第１層と第２層とを分離可能に接合したので、遺体の体腔内の空間の大きさや形状、位置が様々であっても容易に詰めることができる。
【００２４】
また、解剖修復材の大きさや形状を更に細かく変更することができるので、体腔内の狭い空間にも容易に詰めることができる。
【００２５】
また、切れ目を繊維集合体の厚み方向に入れ、第１層と第２層とを繊維集合体の厚み方向に積層したので、解剖修復材の幅や長さだけでなく、厚さも変えることができ、よって、体腔内の空間に容易に詰めることができる。
【００２６】
また、複数の切れ目が互いに交差して延びているので、小さな解剖修復材を得ることができ、遺体の体腔内の空間が狭い場合であっても解剖修復材を容易に詰めることができる。
【００２７】
第２の発明によれば、切れ目の深さを繊維集合体の厚みの５０％以上にしたので、繊維集合体を折り曲げることができる。これにより、解剖修復材の厚みを厚くして使用したり、解剖修復材の形状のバリエーションを増やすことができる。
【００２８】
第３の発明によれば、複数のブロック形状の解剖修復材を得ることができるので、それらを組み合わせることによって任意の大きさや形状の解剖修復材を簡単に得ることができる。
【図面の簡単な説明】
【００２９】
【図１】本発明の実施形態に係る解剖修復材の斜視図である。
【図２】途中で折り曲げた状態の解剖修復材の側面図である。
【図３】一部を分割した状態の解剖修復材の斜視図である。
【図４】分割した解剖修復材を折り曲げた状態を示す斜視図である。
【図５】解剖修復材の拡大側面図である。
【図６】一部の層を他の層から分離させる途中にある状態の図５相当図である。
【図７】一部の層を他の層から分離させた状態の図５相当図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
図１は、本発明の実施形態に係る解剖修復材１の斜視図である。解剖修復材１は、多数の繊維を含む繊維集合体からなるものであり、体液等を吸収することができるようになっている。この解剖修復材１は、例えば病理解剖や司法解剖等、人間の遺体の解剖現場で使用することや、その他、各種動物の遺体の解剖現場でも使用することができる。すなわち、遺体を解剖する際には胸腔や腹腔等の体腔内から各種臓器を取り出すことになるが、臓器を取り出した後には体腔内に空間ができてしまい、その空間ができたまま縫合すると胸部や腹部が窪んでしまう。この胸部や腹部が窪むのを抑制するために、体腔内にできた空間に解剖修復材１を詰めて使用する。空間の大きさや形状、位置は、取り出す臓器の種類や、取り出す臓器の個数によって異なるとともに、遺体の体格や性別、年齢等によっても異なるのが一般的である。
【００３２】
解剖修復材１を構成している繊維集合体は、略長方形の板状をなしている。解剖修復材１の厚み方向の寸法は２０ｍｍ以上１００ｍｍ以下に設定されているが、この範囲に限られるものではなく、任意の厚みに設定することができる。また、解剖修復材１の部位によって厚みを変えるようにしてもよい。
【００３３】
解剖修復材１の幅方向の寸法は、例えば厚み方向の寸法の２倍から５倍に設定されている。解剖修復材１の長手方向の寸法は、例えば厚み方向の寸法の３倍から１０倍に設定されている。また、解剖修復材１の幅方向の寸法及び解剖修復材１の長手方向の寸法は、部位によって変えるようにしてもよい。尚、解剖修復材１の形状は長方形に限られるものではなく、例えば正方形や平行四辺形等の四角形、三角形、五角形以上の多角形、円形、楕円形等であってもよい。
【００３４】
図５に示すように、解剖修復材１を構成している繊維集合体は、多数の繊維からなる第１層１１、第２層１２、第３層１３、第４層１４、第５層１５、…が該繊維集合体の厚み方向に積層されて一体化したものである。上記繊維は、ポリエステル繊維が好ましく、例えば、ポリエチレンテレフタレート（ＰＥＴ）、ポリブチレンテレフタレート（ＰＢＴ）、ポリエチレンナフタレンジカルボキシレート（ＰＥＮ）、ポリ乳酸（ＰＬＡ）やこれらの共重合体からなる繊維を挙げることができる。上記繊維は、その他にも、ナイロン６、ナイロン６６等のポリアミド繊維や、ポリオレフィン繊維、アクリル繊維、モダクリル繊維等の合成繊維や、レーヨン、絹、綿、麻、羊毛等の天然繊維であってもよい。また、上記した繊維を２種以上混合して使用してもよい。
【００３５】
上記繊維は、ポリエチレンテレフタレート（ＰＥＴ）短繊維として、例えば、帝人ファイバー株式会社製  ＴＡ９４  １４ｄｔｅｘ×５１ｍｍや、帝人ファイバー株式会社製  ＲＡ０３  ２．２ｄｔｅｘ×５１ｍｍ等を使用することができる。これら繊維に加えて、熱融着繊維としての共重合ポリエチレンテレフタレート（ＰＥＴ）短繊維、例えば、ユニチカファイバー株式会社製  共重合ＰＥＴ短繊維４０８０（２．２ｄｔｅｘ×５１ｍｍ）を混合させることもできる。つまり、第１の繊維と、第１の繊維よりも軟化温度または溶融温度が低い第２の繊維とを混合して使用することができる。これにより、例えば両繊維を混合した状態で第２の繊維の軟化温度または溶融温度まで加熱することで、第２の繊維によって第１の繊維を接合することができ、シート状の不織布を得ることができる。第２の繊維の混合率は任意に設定することができる。
【００３６】
上記繊維を用いてシート状の不織布を得ることができ、それを上記各層１１、１２、…とする。そして、それら層１１、１２、…を厚み方向に重ねて互いに接合することで多層構造の解剖修復材１が得られる。上記不織布を得る方法としては、従来から周知の方法を使用することができ、上記繊維を開繊、混綿し、カーディング機を使用してカード処理を行い、また、クロスレイヤー処理も行い、さらに１４０℃〜２００℃程度で加熱処理を行う。
【００３７】
各層１１、１２、…を構成する不織布の繊維同士の接合強度は、隣接する層、例えば第１層１１と第２層１２の繊維同士の接合強度よりも強く設定されており、第１層１１を第２層１２から引き剥がす方向の力を加えた際に、第１層１１が途中で破れることなく、第２層１２から分離する。第２層１２と第３層１３、第３層１３と第４層１４、…も同様の接合強度で接合されている。尚、隣接する層を分離させる際、一方の層を構成する繊維のごく一部は他方の層を構成する繊維に付着したままとなる場合もあるが、層が途中で破れないように、繊維強度及び繊維同士の接合強度が設定されている。上記繊維を接合する際には、熱融着の他、例えば接着剤等による接合であってもよいし、熱融着と接着剤とを組み合わせてもよい。
【００３８】
解剖修復材１の密度は４０ｋｇ／ｍ３、目付量は１２００ｇ／ｍ２（３０ｍｍ）とされている。解剖修復材１の密度は、例えば３５ｋｇ／ｍ３以上４５ｋｇ／ｍ３以下の範囲で設定するのが好ましい。また、解剖修復材１の目付量は１０００ｇ／ｍ２（３０ｍｍ）以上１５００ｇ／ｍ２（３０ｍｍ）以下で設定するのが好ましい。解剖修復材１の密度が３５ｋｇ／ｍ３よりも小さい場合や、解剖修復材１の目付量が１０００ｇ／ｍ２（３０ｍｍ）よりも小さい場合には、解剖修復材１を遺体に詰めて縫合した際に窪みができやすくなるので、上記値以上が好ましい。
【００３９】
一方、解剖修復材１の密度が４５ｋｇ／ｍ３よりも大きい場合や、解剖修復材１の目付量が１５００ｇ／ｍ２（３０ｍｍ）よりも大きい場合には、解剖修復材１を遺体に詰めて縫合した際に、解剖修復材１の形が外部に現れやすく、解剖修復材１を詰めていることが外観から判別できるようになってしまうことがあるので、上記値以下が好ましい。
【００４０】
解剖修復材１の硬さは、高分子機器株式会社のＡＳＫＥＲ  Ｆタイプの硬度計を用いて測定した場合に、１５°以上２５°以下の範囲に設定されている。より好ましいのは、１７°以上２２°以下である。解剖修復材１の硬度が１５°よりも小さい場合には、解剖修復材１を遺体に詰めて縫合した際に窪みができやすくなるので、上記値以上が好ましい。解剖修復材１の硬度が２５°よりも大きい場合には、解剖修復材１が硬くなり過ぎ、解剖修復材１を遺体に詰めて縫合した際に、解剖修復材１の形が外部に現れやすく、解剖修復材１を詰めていることが外観から判別できるようになってしまうことがあるので、上記値以下が好ましい。
【００４１】
図１〜図３にも示すように、解剖修復材１には、該解剖修復材１を複数に分割するため、及び該解剖修復材１を折り曲げるための縦方向の切れ目２１と横方向の切れ目２２とが共に複数形成されている。縦方向の切れ目２１及び横方向の切れ目２２は繊維集合体の厚み方向一方側の面（図１等の上面）から他方側の面（図１等の下面）に向かって入っている。
【００４２】
縦方向の切れ目２１、２１は繊維集合体の長手方向に直線状に延びており、互いに繊維集合体の幅方向に間隔をあけて配置されている。縦方向の切れ目２１の本数は１本であってもよいし、３本以上であってもよい。また、横方向の切れ目２２、２２、…は繊維集合体の幅方向に直線状に延びており、互いに繊維集合体の長手方向に間隔をあけて配置されている。横方向の切れ目２２の本数は１本であってもよいし、２本程度であってもよい。縦方向の切れ目２１と横方向の切れ目２２とは互いに交差する方向、具体的には平面視で互いに直交する方向に延びることになる。切れ目２１、２２の形状は屈曲または湾曲していてもよい。
【００４３】
また、この実施形態では、隣り合う縦方向の切れ目２１、２１の間隔と、隣り合う横方向の切れ目２２、２２の間隔とは等しく設定されている。これにより、隣り合う縦方向の切れ目２１、２１と隣り合う横方向の切れ目２２、２２とで囲まれた部分の形状は平面視で略正方向になる。尚、隣り合う縦方向の切れ目２１、２１の間隔と、隣り合う横方向の切れ目２２、２２の間隔とは異なっていてもよい。
【００４４】
縦方向の切れ目２１と横方向の切れ目２２との深さは、繊維集合体の厚みの５０％以上となるように設定されている。これにより、切れ目２１、２２を利用して繊維集合体を折り曲げることが可能になるとともに、切れ目２１、２２によって簡単に分割して小さくことが可能になる。切れ目２１、２２の深さは、繊維集合体の厚みの８０％以上が好ましく、より好ましくは、９０％以上、更に好ましいのは９５％以上である。尚、切れ目２１、２２の深さが深くなると、解剖修復材１が手で力を加えなくても自重で折れ曲がるようになる。この程度まで切れ目２１、２２を深くしてもよいが、これを避けたい場合には、自重で折れ曲がらないように、切れ目２１、２２の深さを設定すればよい。切れ目２１、２２を形成する方法としては、各種カッターを使用することができる。切れ目２１、２２の深さは部位によって変えてもよい。切れ目２１、２２はスリット状であってもよい。
【００４５】
縦方向の切れ目２１と横方向の切れ目２２との交点部分２０（図２〜図４に一部のみ示す）では、切れ目２１、２２が繊維集合体の厚み方向他方側の面（下面）に達しないようになっているが、それ以外の部分では、切れ目２１、２２が繊維集合体の下面に達している。尚、縦方向の切れ目２１と横方向の切れ目２２の全てが繊維集合体の下面に達しないようにしてもよい。また、解剖修復材１を折り曲げて使用することを考慮すると切れ目２１、２２が下面に達している方が好ましいが、これに限らず、切れ目２１、２２を解剖修復材１の厚み方向中途部までの深さとしてもよい。また、切れ目２１、２２は断続させてもよい。
【００４６】
解剖修復材１の色は、血液が付着した際にその血液が目立ちにくい色とするのが好ましく、例えば青、緑、灰色、黒色等の濃い色を挙げることができる。各種顔料や染料等を用いて着色することができる。
【００４７】
また、解剖修復材１を構成する繊維としては、例えば、抗菌消臭剤入りの繊維（ＳＥＫ青マーク認定）を使用することができ、この繊維と、抗菌消臭剤が入らない繊維とを任意の割合で混合して使用することができる。抗菌消臭剤入りの繊維と、抗菌消臭剤が入らない繊維との混合比は、体積比で１：１が好ましいが、これに限られるものではなく、１：２〜２：１の範囲で設定することができる。また、解剖修復材１に抗菌消臭剤を含浸させてもよい。抗菌消臭剤は周知のものを使用することができる。
【００４８】
次に、上記のように構成された解剖修復材１を使用する場合について説明する。遺体の体腔から臓器を取り出してできた空間に解剖修復材１を詰めていく。このとき、空間の形状や大きさに合うように解剖修復材１を分割する。例えば図３に示すように、解剖修復材１の形状として、縦３つ及び横２つ分のブロックを組み合わせた形状にすることができる。その他、縦１列分のブロックを組み合わせた形状や、横１列分のブロックを組み合わせた形状にすることもできる。解剖修復材１を分割する際には、引張力を加えることによって繊維を破断させたり、ちぎったり、また、接合（接着）されている繊維を剥がせばよいので簡単である。
【００４９】
また、図２や図４に示すように、切れ目２１、２２を利用して解剖修復材１を折り曲げることが可能になる。これにより、解剖修復材１の厚みを部分的に厚くして使用したり、解剖修復材１の形状のバリエーションを増やすことが可能になる。折り曲げる角度は、図２に実線で示す角度にしてもよいし、仮想線で示す角度にしてもよく、任意に設定することができる。
【００５０】
さらに、図６及び図７に示すように、薄い形状の解剖修復材１を得ることもできる。すなわち、第１層１１、第２層１２及び第３層１３を手で持ってこれら第１〜第３層１１〜１３を第４層１４から引き剥がすように力を加えると、第３層１３が第４層１４から分離する。同様に、第１層１１を第２層１２から分離させることもできる。つまり、どの層からでも一部の層を他の層から分離させることができる。よって、厚みの異なる解剖修復材１を得ることができる。つまり、解剖修復材１の幅や長さだけでなく、厚さも容易に変えることが可能になる。
【００５１】
上述のようにして様々な形状の解剖修復材１を得ることができるので、遺体の体腔内の空間の大きさや形状、位置が様々であっても解剖修復材１を容易に詰めることができ、また、狭い隙間が存在する場合であっても、解剖修復材１を小さく、かつ、薄くすることでその隙間に解剖修復材１を詰めることができ、隙間を無くすことができる。
【００５２】
そして、縫合後には、解剖修復材１の密度や目付量、硬さが上記範囲に設定されていることで、解剖修復材１の形状が体表面に現れにくく、解剖修復材１を使用していることが外観上、判り難くなる。また、解剖修復材１は繊維からなるものなので、体液等を吸収する効果も持っており、体液の漏出を抑制することができる。
【００５３】
尚、解剖修復材１を構成する繊維に、例えば吸水性樹脂からなる繊維を混合させてもよい。この種の繊維としては、例えばアクリル繊維で形成された芯材である内層と、これを囲むように設けられた高吸水性外層とを有する２層構造の繊維を挙げることができる。
【００５４】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００５５】
以上説明したように、本発明に係る解剖修復材は、例えば病理解剖等の現場で使用することができる。
【符号の説明】
【００５６】
１        解剖修復材
１１        第１層
１２        第２層
２１        切れ目
２２        切れ目
【図１】
0006626321.tif 000002
【図２】
0006626321.tif 000003
【図３】
0006626321.tif 000004
【図４】
0006626321.tif 000005
【図５】
0006626321.tif 000006
【図６】
0006626321.tif 000007
【図７】
0006626321.tif 000008